(57)【要約】【課題】確実な操作で一部の扉の戸締まりができ、床面と扉の下框間の隙間からロッドが手や工具にて持ち上げられて不法に解錠されることのない落とし錠を提供する。【解決手段】扉１の竪框２に掘り込むようにして取り付けられたベース本体５と、床面９などの扉１の固定位置に設けた受け孔１０に係入するロッド８と、該ロッド８を上部にて保持して前記ベース本体５に対して摺動するジョイント部材１１、該ジョイント部材１１の上端部近傍に突起した形状で設けられた支点１６とつまみ取付片２０、並びに前記操作つまみ取付片２０に装着されたロック部材１５、並びに前記ロック部材１５を回動するための摺動子１９と操作つまみ６から構成した。【選択図】図２
2008303595.tif 000002
【特許請求の範囲】
【請求項１】
ロッドを下部にて保持しベース本体に対して摺動可能なジョイント部材は該ジョイント部材の上端部近傍に突起した形状で設けられるロック部材を揺動可能に載架できる支点と、
該ロック部材を揺動させるためにロック部材の作用点に力を加えることの可能な傾斜部を有する摺動子を介して前記ジョイント部材と操作つまみを連結するつまみ取付片を有しており、
前記ロック部材を揺動してロック部材の先端部に設けられた爪部を前記ベース本体のプレート部内側面に刻設されたラック形状の凹凸部に押圧して係合することにより前記ロッドの上げ下げを停止して固定させることが可能であり、
また、必要に応じて前記操作つまみを回動させ該操作つまみの下部に設けられた前記摺動子をつまみ取付片に対して摺動することで前記ロック部材の作用点に摺動子の傾斜部を係合し、
前記ロック部材の爪部をベース本体のプレート部内側面に刻設されたラック形状の凹凸部から離間可能で、
該爪部を凹凸部から離間させた状態で前記ロッドの上げ下げ動作を操作つまみにて行えること、
を特徴とする落とし錠。
【請求項２】
前記操作つまみを回動させることにより操作つまみの下部に設けられた摺動子をつまみ取付片に対して摺動させる手段は該操作つまみの先端部に設けられた先端突起が摺動子のスライド穴に係合して回動する機構であること、
を特徴とする請求項１に記載の落とし錠。
【請求項３】
前記ロック部材をジョイント部材の上端部近傍に突起した形状で設けられる支点に載架して揺動する構成において、該ロック部材の先端部に設けられた爪部を前記ベース本体のプレート部内側面に刻設されたラック形状の凹凸部に押圧して係合させる手段は前記ジョイント部材とロック部材間に装着されたスプリングで、
該スプリングによる前記爪部の凹凸部への係着はクリック感として前記操作つまみを介して操作する者に伝わる構成としたこと、
を特徴とする請求項１に記載の落とし錠。
【発明の詳細な説明】
【技術分野】
【０００１】
本発明は、確実な操作で一部の扉の戸締まりができ、床面と扉の下框間の隙間からロッドが手や工具にて持ち上げられて不法に解錠されることのない新規な落とし錠を提供するものである。
【背景技術】
【０００２】
両開き扉の片側扉や、親子扉の子扉を通常は開かないように固定するために、該扉の竪框下方の召し合わせ部分に掘り込むようにしてロッドを取り付け、該ロッドを上げ下げして床面に差し込むことにより、戸締りをする建具金物として落とし錠がある。
【０００３】
落とし錠は、多くの場合、扉の竪框上下の召し合わせ部分に埋め込まれるロッド（ボルトとも云う）を梃子の作用にて動作するレバーにより上げ下げして、該上げ下げロッドにて戸締りをするもので、使用する扉の種類や形状、並びに床面の仕上がりや形状によっては、該ロッドの上げ下げ行程（ストローク）が短いために床面に対してロッドが十分に差し込まれて係止されず、床面と扉の下框間の隙間から手や工具にてロッドを持ち上げられて不法に開錠されることがあった。
【０００４】
而して、特開平９−１５８５８０の発明（以下、特許文献１と称する）は、特にガレージなどの門扉として使用される扉類を昇降動するロック棒によって施錠する上げ落し錠に関するものであり、詳しくは、外部からロック棒を上昇させて解錠されないようにした上げ落し錠に関するものが開示されている。
【０００５】
特許文献１の発明は、昇降動して、下降した位置で受け部材に係入するロック棒を、扉類に取り付ける錠本体に具備した上げ落し錠において、扉類に固定する基板と、ロック棒を保持して基板に対して摺動するブロックとの両接合面に鋸歯形状の咬合部を形成し、ブロックを基板に仮固定するロック機構を錠本体に具備した上げ落し錠である。
【０００６】
また、特許文献１の発明において、前記基板は貫通溝を有し、ロック機構は揺動可能なレバーを備え、前記基板の貫通溝の一方の面に前記ブロックが配置され、他方の面には前記レバーが配され、前記ブロックとレバーは連結され、レバーに揺動によってブロックは基板に押圧されて咬合部が嵌合することを特徴とする上げ落し錠である。
【０００７】
そして、上記の構成により、特許文献１の発明に係る上げ落し錠は、ロック棒を保持するブロックとブロックが接合する基板とが、咬合部によって噛合するため、施錠した際にロック棒が上昇することがないようにすることができる。
【０００８】
従って、特にガレージなどのように扉類の下面に空間が空けられていても、その空間部から手や工具などによって、ロック棒を把持して上昇させることができなくなる。すなわち、施錠された状態を確保できるため、セキュリティが向上すると共に受け穴の深さ等に併せて、ロック棒に出しろを任意に設定し、且つ任意位置でロック棒を固定することができる。
【０００９】
また、特許文献１の上げ落し錠によれば、咬合部を鋸歯形状としたことにより、ロック棒を任意位置で仮固定することができるので、錠本体の取り付け位置や受け部材の深さなどの制約を受けることなく上記の効果を発揮することができるとされている。
【００１０】
然しながら、特許文献１の発明は、ロック棒を保持して基板に対して摺動するブロックの咬合部と扉類に固定された基板に刻設された咬合部とをレバーの回動にて直接嵌合して固定させる動作となり、鋸歯形状の凹凸からなる咬合部を噛合せる場合に、ブロックと基板との位置関係が悪いと、ずれてしまって確実に仮固定の操作ができないばかりでなく、ブロックと基板間の咬合部が、早期に摩耗したり損傷してしまう欠点がある。
【００１１】
また、ブロックの咬合部と基板に刻設された咬合部とをレバーの回動にて直接嵌合して仮固定させる動作は、前記ブロックと基板との位置関係が悪い場合あっても、該レバーの揺動時に噛合いの具合を確認できるクリック感がないことから、力を入れて無理にレバーを回動操作してしまいがちで、ブロックと基板間の咬合部が損傷する要因を常に内包している構成である。
【００１２】
更に、特許文献１の発明は、ロック棒の受け部材（受け孔）が床面や地面にある場合において、石や土等の障害物で受け部材の受け孔が塞がってしまって、ブロックと基板間の咬合部がずれてしまい、該ブロックと基板間の咬合部が確実に噛合っているかを、レバーの揺動操作時のクリック感にて確認できない構成で、折角、床面と扉の下框間の隙間からロック棒が手や工具にて持ち上げられて不法に解錠されることのない機構を有する上げ下げ錠であっても、セキュリティ的には課題が残っている。
【特許文献１】特開平９−１５８５８０号公報
【発明の開示】
【発明が解決しようとする課題】
【００１３】
而して、本発明が解決しようとする課題は、上記特許文献１の発明の欠点を解消すると共に、操作つまみによるロッド（ロック棒）の上げ下げ操作の際に、ロック機構の噛合い状況が前記操作つまみによる摺動時のクリック感にて確認でき、該ロック機構の状況が良好であることを確認して、操作つまみの回動操作で確実に戸締まりが可能で、床面と扉の下框間の隙間からロッドが手や工具にて持ち上げられて不法に解錠されることのない落とし錠を提供するものである。
【課題を解決するための手段】
【００１４】
本発明は、ロッドを下部にて保持しベース本体に対して摺動可能なジョイント部材は該ジョイント部材の上端部近傍に突起した形状で設けられるロック部材を揺動可能に載架できる支点と、該ロック部材を揺動させるためにロック部材の作用点に力を加えることの可能な傾斜部を有する摺動子を介して前記ジョイント部材と操作つまみを連結するつまみ取付片を有しており、前記ロック部材を揺動してロック部材の先端部に設けられた爪部を前記ベース本体のプレート部内側面に刻設されたラック形状の凹凸部に押圧して係合することにより前記ロッドの上げ下げを停止して固定させることが可能であり、また、必要に応じて前記操作つまみを回動させ該操作つまみの下部に設けられた前記摺動子をつまみ取付片に対して摺動することで前記ロック部材の作用点に摺動子の傾斜部を係合し、前記ロック部材の爪部をベース本体のプレート部内側面に刻設されたラック形状の凹凸部から離間可能で、該爪部を凹凸部から離間させた状態で前記ロッドの上げ下げ動作を操作つまみにて行えることを特徴とする落とし錠である。
【００１５】
そして、本発明において、前記操作つまみを回動させることにより操作つまみの下部に設けられた摺動子をつまみ取付片に対して摺動させる手段は、該操作つまみの先端部に設けられた先端突起が摺動子のスライド穴に係合して回動する機構であることが好ましい。
【００１６】
また、本発明は、前記ロック部材をジョイント部材の上端部近傍に突起した形状で設けられる支点に載架して揺動する構成において、該ロック部材の先端部に設けられた爪部を前記ベース本体のプレート部内側面に刻設されたラック形状の凹凸部に常に押圧して係合させている手段は、前記ジョイント部材とロック部材間に装着されたスプリングで、該スプリングによる前記爪部の凹凸部への係着はクリック感として前記操作つまみを介して操作する者に伝わる構成であることが好ましい。
【発明の効果】
【００１７】
而して、本発明は、特許文献１の従来発明の欠点を解消すると共に、操作つまみによるロッド（ロック棒）の上げ下げ操作の際に、ロック機構の噛合い状況が前記操作つまみによる摺動時のクリック感にて確認でき、該ロック機構の状況が良好であることを確認しながら、操作つまみの回動操作で確実に戸締まりが可能で、床面と扉の下框間の隙間からロッドが手や工具にて持ち上げられて不法に解錠されることのない落とし錠を提供するものである。
【００１８】
また、本発明は、ベース本体のプレート部内側面に刻設されたラック形状の凹凸部に沿って摺動したり係着動作をする操作つまみ、摺動子、ロック部材、並びにジョイント部材からなり、該ジョイント部材に保持され上げ下げ動作するロッドにより、一部の扉の戸締りを行う落とし錠を提供するもので、従来の落とし錠の如く、ロッド（ボルトとも云う）を梃子の作用にて動作するレバーにて、上げ下げするものに比較して、該ロッドの上げ下げ行程（ストローク）長くすることが可能で使用する扉の種類や形状、並びに床面の仕上がりや形状にも幅広く対応できて、セキュリティ上も安全な落とし錠を提供することができた。
【００１９】
更に、本発明はロッドの上げ下げ行程（ストローク）が長く、該行程中の摺動動作が確実に行える落とし錠を提供できることから、前記操作つまみの位置を、従来装置の如く扉下部近傍の竪框の中に埋め込んで設置したり、扉上部近傍の竪框の中に埋め込んで設置する必要がなく、前記ジョイント部材やロッドの長さを調整して製作することにより、屈んだり、背伸びして操作することが不要な扉中央部付近の竪框内に操作つまみを設置することができる落とし錠を提供することができた。
【発明を実施するための最良の形態】
【００２０】
而して、本発明に係る落とし錠は、扉の竪框に掘り込むようにして取り付けられるベース本体と、床面などの扉の固定位置に設けた受け孔に係入するロッド棒と、該ロッド棒を上部にて保持して前記ベース本体に対して摺動するジョイント部材、該ジョイント部材の上端部近傍に突起した形状で設けられた支点とつまみ取付片、そして該つまみ取付片に装着されたロック部材、並びに前記ロック部材を回動するための摺動子と操作つまみから構成されている。
【００２１】
そして、前記ロッドを下部にて保持しベース本体に対して摺動可能なジョイント部材は、該ジョイント部材の上端部近傍に突起した形状で設けられるロック部材を揺動可能に載架できる支点と、該ロック部材を揺動させるためにロック部材の作用点に力を加えることの可能な傾斜部を有する摺動子を介して前記ジョイント部材と操作つまみを連結するつまみ取付片を有しており、前記ロック部材を揺動してロック部材の先端部に設けられた爪部を前記ベース本体のプレート部内側面に刻設されたラック形状の凹凸部に押圧して係合することにより前記ロッドの上げ下げを停止して固定させることが可能である。
【００２２】
また、必要に応じて前記操作つまみを回動させ、該操作つまみの下部に設けられた前記摺動子をつまみ取付片に対して摺動することで前記ロック部材の作用点に摺動子の傾斜部を係合し、前記ロック部材の爪部をベース本体のプレート部内側面に刻設されたラック形状の凹凸部から離間可能で、該爪部を凹凸部から離間させた状態で前記ロッドの上げ下げ動作を操作つまみにて行える落とし錠である。
【００２３】
斯くして、本発明の具体的な機構で重要な部分は、前記操作つまみを回動させることにより操作つまみの下部に設けられた摺動子をつまみ取付片に対して摺動させる手段は、該操作つまみの先端部に設けられた先端突起が摺動子のスライド穴に係合して回動する機構である。
【００２４】
また、前記ロック部材をジョイント部材の上端部近傍に突起した形状で設けられる支点に載架して揺動する構成において、該ロック部材の先端部に設けられた爪部を前記ベース本体のプレート部内側面に刻設されたラック形状の凹凸部に押圧して係合させる手段は、前記ジョイント部材とロック部材間に装着されたスプリングで、該スプリングによる前記爪部の凹凸部への係着はクリック感として前記操作つまみを介して操作する者に伝わる構成としている。
【実施例１】
【００２５】
本発明の実施例を図１乃至図１０に基いて説明する。図１は本発明の実施例を説明する斜視図であり、両開き門扉の片側の扉１を示している。
【００２６】
扉１は竪框２の召し合わせ部分３を図示して、該召し合わせ部分３に本発明の落とし錠４のベース本体５を掘り込むようにして設置されている。
【００２７】
そして、６は落とし錠４の操作つまみ、７は該操作つまみをスライドさせるための貫通溝であり、前記落とし錠４に保持され上げ落しされるロッド８は、床面９に埋設された受け孔１０に挿着され、扉１を所定位置に固定して、戸締りをしている。
【００２８】
図２は本発明の落とし錠を説明する要部断面図であり、２は扉１の竪框を示し該竪框２に落とし錠４は埋め込み設置されている。
図２において、５は落とし錠４のベース本体、６は操作つまみ、７は操作つまみ４をスライドさせるための貫通溝、８は上げ落し操作されるロッドを示している。
【００２９】
而して、図２は前記ロッド８を竪框２内に収納して、扉１は床面等に固定されていない状態を示し、ロッド８はその上部でジョイント部材１１にビス１２を介して固着されている。ジョイント部材１１はその上部でガイドカバー１３にて保持され、また、下部でガイドアーム１４にてスライド可能に保持されている。
【００３０】
ロッド８を保持するジョイント部材１１は上端部近傍にロック部材１５を揺動可能に載架できる支点１６と、該ロック部材１５を揺動させるためにロック部材１１の作用点１７（図３に示す）に力を加えることの可能な傾斜部１８（図３にしめす）を有する摺動子１９を介して、前記ジョイント部材１１と操作つまみ６を連結するつまみ取付片２０を有している。
【００３１】
また、前記ロック部材１５を揺動してロック部材１５の先端部に設けられた爪部２１を前記ベース本体４のプレート部２２の内側面に刻設されたラック形状の凹凸部２３に押圧して係合することにより、図２の如くロッド８を竪框２内に収納した状態でロッド８上げ下げを停止することができる。
【００３２】
図３は図２にて説明した本発明の落とし錠を説明する分解図である。図３において、５はベース本体、６は操作つまみ、７は貫通溝、８はロッド、１１はジョイント部材、１２はビス、１３はガイドカバー、１４はガイドアーム、１５はロック部材、１６は支点、１７は作用点、１８は傾斜部、１９は摺動子、２０はつまみ取付片、２１は爪部、２２はプレート部、２３は凹凸部である。
【００３３】
尚、図３において、２４は操作つまみ６とつまみ取付片２０を回動可能に連結する軸材、２５はジョイント部材１１とロック部材１５間に設けられたスプリングで、該スプリング２５は常にロック部材１５をプレート部材２２に押圧し、ロック部材１５の爪部２１を凹凸部に係合している。２６、２６は固定用ビスでベース本体５を竪框２に設置するものである。
【００３４】
図４、図５は、図３にて示した操作つまみ６と摺動子１９並びにロック部材１５の形状を拡大図示した説明図であり、摺動子１９は図４にてその表面形状を図示すると共に、図５においては、その裏面形状をしめしている。
【００３５】
図４、図５において、６は操作つまみ、１９は摺動子、１５はロック部材であり、２４軸材で、該軸材２４は、はそれぞれの部材に穿設された取付用の貫通穴２７、２８を貫通して外部側に突起してくる前記つまみ取付片２０を操作つまみ６に回動可能に連結する。
【００３６】
また、摺動子１９に穿設された貫通穴２８の両側には摺動溝２９、２９が設けてあり、前記操作つまみ６の先端部に設けられた先端突起３０、３０が係合されている。そして、該先端突起３０、３０は、操作つまみ６の回動により、前記プレート部２２の面上を狭い範囲で摺動し、該摺動子１９の動きで摺動子１９の裏面に設けられた傾斜部１８がロック部材１５の作用点１７に作用する。
【００３７】
従って、該ロック部材１５の作用点に加わる力はロック部材１５の爪部２１をスプリング２５に逆らって離間させ、今度は、操作つまみ６を前記貫通溝７に沿ってスライド可能にして、該スライド操作にて、ロッド８の上げ下げが任意にできる。
尚、図５のロック部材１５に設けられている載架部３１、３１は前記ジョイント部材１１の上部に設けられた支点16を係合するものである。
【００３８】
斯くして、図２を含めて、図６乃至図９は、本発明の動作説明図となる。図６乃至図９において、図２と同一符号は同一構成要素を示している。
【００３９】
図２は、操作つまみ６を下方に下げた状態で、ロッド８を竪框２内に収納して、扉１は床面等に固定されていない状態を示している。
【００４０】
次に、図６は操作つまみ６を少し上方に起こした状態で、操作つまみ６の先端突起３０が、摺動溝２９に係合しており、操作つまみ６の回動により、前記プレート部２２の面上を摺動し９が狭い範囲で少し摺動した状態を示している。
【００４１】
図７は操作つまみ６が９０度回動した状態を示し、前記摺動子１９の動きが固定されると同時に摺動子１９の傾斜部１８がロック部材１５の作用点１７に係合して、ロック部材１５の爪部２１が凹凸部２３から離れ、前記摺動子１９、ロック部材１５、そして、ジョイント部材１１が摺動自在となり、ロッド８の上げ落し動作が可能になります。
【００４２】
而して、図７による前記摺動子１９の動きは、図１０の拡大断面図に図示してあります。即ち、想像線にて示す爪部２１は摺動子１９の傾斜部１８に係合してロック部材１５の作用点１７を押しのけロック部材１５の爪部２１が凹凸部２３から離れジョイント部材１１が摺動自在となるものです。
【００４３】
図８は前記図７の状態で操作つまみ６を押し下げ、ロッド８を竪框の外に伸張して、床面９に設けられた受け孔に挿着し、扉１の戸締りを図１の如く完了させることが可能です。
【００４４】
図９は、図８の状態をロックさせるもので、操作つまみ６を下方に倒して扉の召し合わせ部３に収納可能です。
【００４５】
而して、本発明に係る落とし錠４は、扉１の竪框２に掘り込むようにして取り付けられたベース本体５と、床面９などの扉１の固定位置に設けた受け孔１０に係入するロッド８と、該ロッド８を上部にて保持して前記ベース本体５に対して摺動するジョイント部材１１、該ジョイント部材１１の上端部近傍に突起した形状で設けられた支点１６とつまみ取付片２０、そして前記操作つまみ取付片２０に装着されたロック部材１５、並びに前記ロック部材１５を回動するための摺動子１９と操作つまみ６から構成されている。
【００４６】
前記落とし錠４のベース本体５は、通常両開き扉の片側扉や親子扉の子扉が開かないように固定するためのもので、該扉１の竪框２の召し合わせ部３に掘り込むようにして固定ビス２６にて固着されている。
【００４７】
また、ベース本体５は竪框２の内部側にL字形状折り曲げられた保持アーム３２を有し、該保持アーム３２の先端には、前記ジョイント部材のガイドカバー１３が設けられており、更にベース本体５の下端部にはガイドアーム１４が設けられていて、ジョイント部材１１は前記ガイドカバー１３とガイドアーム１４により上下動可能に保持されて上げ落し動作をなし、該上下動をジョイント部材１１の下端に設けられたロッド８に伝達する。
【００４８】
そして、ベース本体５の外観を構成するプレート部２２の中央には貫通溝７が穿設されており、該貫通溝７の外部側には摺動子の摺動を方向付ける縁部が設けられている。
【００４９】
ベース本体５のプレート部２２内側面で前記貫通溝７の両側には図に示すようなラック形状の凹凸部２３が刻設されており、該凹凸部２３は前記ロック部材１５の先端部に設けられた爪部２１が係合している。
【００５０】
前記ロック部材１５の爪部２１の凹凸部２３への係合は、前記ジョイント部材１１の上部近傍において突起した形状で設けられている支点１６に載架され、該支点１６を中心に回動可能であるが、通常は前記ジョイント部材１１とロック部材１５間に設けられたスプリング２５によって、常にラック形状の凹凸部２３に押圧されているために、ロック部材１５の爪部２１はプレート部２２内画面に刻設された凹凸部２３に係合している。
【００５１】
また、ジョイント部材１１の上部近傍で突起した形状で設けられるつまみ取付片２０は、前記プレート部２２の中央部に穿設された貫通溝７を貫通し、且つ前記摺動子１９の貫通穴２８を貫通してベース本体５の外部側に突起している。そして、前記操作つまみ６は外部側に突起した操作つまみ取付片２０の先端部に軸材２４にて連結され、回動可能に設置されている。
【００５２】
そして、本発明は、前記操作つまみ６を操作することで、ロッド８の上げ下ろしを行えるものである。
【００５３】
また、本発明は、必要に応じて前記操作つまみ６を回動させ、該操作つまみ６の下部に設けられた前記摺動子をつまみ取付片に対して摺動することで前記ロック部材の作用点１７に摺動子１９の傾斜部１８を係合し、前記ロック部材１１の爪部２１をベース本体のプレート２２部内側面に刻設されたラック形状の凹凸部２３から離間可能で、該爪部２１を凹凸部２３から離間させた状態で前記ロッド８の上げ下げ動作を操作つまみ６にて行える落とし錠である。
【００５４】
次に、本発明の具体的な機構で重要な部分は、前記操作つまみ６を回動させることにより操作つまみ６の下部に設けられた摺動子１９をつまみ取付片２０に対して摺動させる手段は、該操作つまみ６の先端部に設けられた先端突起３０が摺動子１９の摺動子１９に係合して回動する機構である。
【００５５】
また、前記ロック部材１５をジョイント部材１１の上端部近傍に突起した形状で設けられる支点１６に載架して揺動する構成において、該ロック部材１５の先端部に設けられた爪部２１を前記ベース本体５のプレート部２２内側面に刻設されたラック形状の凹凸部２３に押圧して係合させる手段は、前記ジョイント部材１１とロック部材１５間に装着されたスプリング２５で、該スプリング２５による前記爪部２１の凹凸部２３への係着はクリック感として前記操作つまみ６を介して操作する者に伝わる構成としている。
【００５６】
尚、本発明の実施例は扉と床面間の戸締りを例にとり説明してきたが、本発明は、該実施例に限定されるものではなく、扉と上枠との固定、戸締りに関してもそのまま利用できるものである。
【産業上の利用可能性】
【００５７】
斯くして、本発明は、確実な操作で一部の扉の戸締まりができ、床面と扉の下框間の隙間からロッドが手や工具にて持ち上げられて不法に解錠されることのない新規な落とし錠を提供するもので産業上の利用価値は頗る大きい。
【図面の簡単な説明】
【００５８】
【図１】本発明実施部位を説明する斜視図である。
【図２】本発明の実施例を説明する要部断面図である。
【図３】本発明の実施例を説明する組み立て図である。
【図４】図３の要部を説明する拡大斜視図である。
【図５】図３の要部を説明する拡大斜視図である。
【図６】本発明の実施例と動作を説明する要部断面図である。
【図７】本発明の実施例と動作を説明する要部断面図である。
【図８】本発明の実施例と動作を説明する要部断面図である。
【図９】本発明の実施例と動作を説明する要部断面図である。
【図１０】本発明の動作を説明する要部拡大図である。
【符号の説明】
【００５９】
１  扉
２  竪框
３  召し合わせ部
４  落とし錠
５  ベース本体
６  操作つまみ
７  貫通溝
８  ロッド
９  床面
１０  受け孔
１１  ジョイント部材
１２  ビス
１３  ガイドカバー
１４  ガイドアーム
１５  ロック部材
１６  支点
１７  作用点
１８  傾斜部
１９  摺動子
２０  つまみ取付片
２１  爪部
２２  プレート部
２３  凹凸部
２４  軸材
２５  スプリング
２６  固定用ビス
２７  貫通穴
２８  貫通穴
２９  摺動溝
３０  先端突起
３１  載架部
３２  保持アーム
【図１】
2008303595.tif 000003
【図２】
2008303595.tif 000004
【図３】
2008303595.tif 000005
【図４】
2008303595.tif 000006
【図５】
2008303595.tif 000007
【図６】
2008303595.tif 000008
【図７】
2008303595.tif 000009
【図８】
2008303595.tif 000010
【図９】
2008303595.tif 000011
【図１０】
2008303595.tif 000012